(57)【要約】【課題】簡単な構成で安価に使用しない宅配ボックスの扉を締め切ることができる宅配ボックスのダミー扉取付構造を提供する。【解決手段】ボックス本体１の前面側に取出し用開口部１１を形成すると共に、背面側にボックス本体１内に配達物を投入するための投入口１２を形成し、ボックス本体１の取出し用開口部１１の左右両側の一方に枢支部３を設け、他方電気錠４０及び電気錠４０により動作される係止部４２ａを設け、扉２の枢支側の側端部を枢支部３に枢支させると共に、扉２の回動側の側端部に設けた被係止部２０を前記係止部４２ａに係脱自在に係合させることで、扉２を開閉自在に取出し用開口部１１に設ける宅配ボックスＢのダミー扉取付構造であって、扉固定部を備えた回動側のダミー扉固定部材７ｂをボックス本体１の取出し用開口部１１の他方の電気錠４０を設ける部分に電気錠４０の代わりに設け、扉２の回動側の側端部を扉固定部に固定する。【選択図】  図１
2010104730.tif 000002
【特許請求の範囲】
【請求項１】
ボックス本体の前面側に取出し用開口部を形成すると共に、背面側にボックス本体内に配達物を投入するための投入口を形成し、ボックス本体の取出し用開口部の左右両側の一方に枢支部を設け、他方に電気錠及び電気錠により動作される係止部を設け、扉の枢支側の側端部を枢支部に枢支させると共に、扉の回動側の側端部に設けた被係止部を前記係止部に係脱自在に係合させることで、扉を開閉自在に取出し用開口部に設ける宅配ボックスのダミー扉取付構造であって、扉固定部を備えた回動側のダミー扉固定部材をボックス本体の取出し用開口部の電気錠を設ける部分に電気錠の代わりに設け、扉の回動側の側端部を扉固定部に固定することを特徴とする宅配ボックスのダミー扉取付構造。
【請求項２】
ボックス本体の取出し用開口部の左右両側にそれぞれボックス本体の一部をなす前板を備え、前記左右のうちの一方の前板に枢支部を設け、前記左右のうちの他方の前板に錠用開口を形成して、電気錠を備えた基台の縦片を前板に固定して前記電気錠により動作される係止部を前記錠用開口を介して前板の前方に連通させ、扉の枢支側の側端部を枢支部に枢支させると共に、扉の回動側の側端部に背方側に突出する被係止部を設けて、被係止部を錠用開口を挿通させて前記電気錠の係止部に係脱自在に係合させ、縦片と該縦片から前方に突出し固着孔を備える扉固定部としての突出片とからなる回動側のダミー扉固定部材の突出片を前板の錠用開口を介して前方に突出させると共に、回動側のダミー扉固定部材の縦片を前板に固定し、扉の回動側の側端部の前記固着孔に対応する部分に固定孔を形成し、扉の回動側の側端部の内面に前記突出片を当接させて、固着具を扉の外側より固定孔を介して固着孔に固着させて扉を固定することを特徴とする請求項１記載の宅配ボックスのダミー扉取付構造。
【請求項３】
扉固定部を備えた枢支側のダミー扉固定部材をボックス本体の取出し用開口部の枢支部を設ける部分に枢支部の代わりに設け、扉の枢支側の側端部を扉固定部に固定することを特徴とする請求項１又は２記載の宅配ボックスのダミー扉取付構造。
【請求項４】
左右のうちの一方の前板に枢支部用開口を形成して、縦片と該縦片から前方に突出し扉を枢支する横片とからなる枢支部の横片を前記枢支部用開口を介して前方に突出させて縦片を前板に固定するものにおいて、縦片と該縦片から前方に突出し扉固定部としての係合部を備える横片とからなる枢支側のダミー扉固定部材の横片を前記枢支部用開口を介して前方に突出させて縦片を前板に固定し、扉の枢支側の側端部に前記係合部に対応する部分に被係合部を形成し、前記被係合部と係合部とを係合させることを特徴とする請求項３記載の宅配ボックスのダミー扉取付構造。
【発明の詳細な説明】
【技術分野】
【０００１】
本発明は、宅配ボックスのダミー扉取付構造に関するものである。
【背景技術】
【０００２】
従来から、集合住宅に設置する宅配ボックスとして、ボックス本体の取出し用開口部に扉を開閉自在に取付け、扉を閉じた際に、ロック機構を電磁ソレノイドを用いた電気錠により施錠するようにしたものが広く知られている（例えば特許文献１参照）。
【０００３】
宅配ボックスＢは、図３に示すように、縦及び横に複数列配設した配達物集合受け取り装置をユニット単位として設置されるもので、宅配ボックスＢの個数が異なる複数種類の配達物集合受け取り装置が製造されているものの、集合住宅の戸数と配達物集合受け取り装置（複数でも可）が備える宅配ボックスＢの個数が一致しないことが多い。この場合、住宅の戸数より多い個数の宅配ボックスＢを有する配達物集合受け取り装置を設置し、戸数を超えた数の宅配ボックスＢは使用しないようにしていた。
【０００４】
使用しない宅配ボックスＢは扉２を締め切りにして、外観上は使用している宅配ボックスＢと同様にすることで、違和感がなく見栄えが悪くなるのを防止するものであった。
【０００５】
ここで、使用しない宅配ボックスＢに高価な電気錠を設けるのは費用の無駄となるため、使用しない宅配ボックスＢには電気錠を設けないのが好ましいが、電気錠を設けずそのままにしておくと扉２を締め切ることができないものであった。
【特許文献１】実開平６−７１４９８号公報
【発明の開示】
【発明が解決しようとする課題】
【０００６】
本発明は上記の従来の問題点に鑑みて発明したものであって、その目的とするところは、簡単な構成で安価に使用しない宅配ボックスの扉を締め切ることができる宅配ボックスのダミー扉取付構造を提供することを課題とするものである。
【課題を解決するための手段】
【０００７】
上記課題を解決するために請求項１に係る発明は、ボックス本体１の前面側に取出し用開口部１１を形成すると共に、背面側にボックス本体１内に配達物を投入するための投入口１２を形成し、ボックス本体１の取出し用開口部１１の左右両側の一方に枢支部３を設け、他方電気錠４０及び電気錠４０により動作される係止部４２ａを設け、扉２の枢支側の側端部を枢支部３に枢支させると共に、扉２の回動側の側端部に設けた被係止部２０を前記係止部４２ａに係脱自在に係合させることで、扉２を開閉自在に取出し用開口部１１に設ける宅配ボックスＢのダミー扉取付構造であって、扉固定部を備えた回動側のダミー扉固定部材７ｂをボックス本体１の取出し用開口部１１の他方の電気錠４０を設ける部分に電気錠４０の代わりに設け、扉２の回動側の側端部を扉固定部に固定することを特徴とするものである。
【０００８】
また、請求項２に係る発明は、請求項１に係る発明において、ボックス本体１の取出し用開口部１１の左右両側にそれぞれボックス本体１の一部をなす前板１７を備え、前記左右のうちの一方の前板１７に枢支部３を設け、前記左右のうちの他方の前板１７に錠用開口６を形成して、電気錠４０を備えた基台４１の縦片４１ａ、４１ｂを前板１７に固定して前記電気錠４０により動作される係止部４２ａを前記錠用開口６を介して前板１７の前方に連通させ、扉２の枢支側の側端部を枢支部３に枢支させると共に、扉２の回動側の側端部に背方側に突出する被係止部２０を設けて、被係止部２０を錠用開口６を挿通させて前記電気錠４０の係止部に係脱自在に係合させ、縦片７３と該縦片７３から前方に突出し固着孔７４ａを備える扉固定部としての突出片７４とからなる回動側のダミー扉固定部材７ｂの突出片７４を前板１７の錠用開口６を介して前方に突出させると共に、回動側のダミー扉固定部材７ｂの縦片７３を前板１７に固定し、扉２の回動側の側端部の前記固着孔７４ａに対応する部分に固定孔２８を形成し、扉２の回動側の側端部の内面に前記突出片７４を当接させて、固着具７６を扉２の外側より固定孔２８を介して固着孔７４ａに固着させて扉２を固定することを特徴とするものである。
【０００９】
また、請求項３に係る発明は、請求項１又は２に係る発明において、扉固定部を備えた枢支側のダミー扉固定部材７ａをボックス本体１の取出し用開口部１１の枢支部３を設ける部分に枢支部３の代わりに設け、扉２の枢支側の側端部を扉固定部に固定することを特徴とするものである。
【００１０】
また、請求項４に係る発明は、請求項３に係る発明において、左右のうちの一方の前板１７に枢支部用開口５を形成して、縦片３２と該縦片３２から前方に突出し扉２を枢支する横片（上側の横片３１、下側の横片３３）とからなる枢支部３の横片３３を前記枢支部用開口５を介して前方に突出させて縦片３２を前板１７に固定するものにおいて、縦片（上部材７１の縦片７１ｂ、下部材７２の縦片７２ｂ）と該縦片７１ｂ、７２ｂから前方に突出し扉固定部としての係合部（上部材７１の係合部７１ｃ、下部材７２の係合部７２ｃ）を備える横片（上部材７１の横片７１ａ、下部材７２の横片７２ａ）とからなる枢支側のダミー扉固定部材７ａの横片７１ａ、７２ａを前記枢支部用開口５を介して前方に突出させて縦片７１ｂ、７２ｂを前板１７に固定し、扉２の枢支側の側端部に前記係合部７１ｃ、７２ｃに対応する部分に被係合部２７を形成し、前記被係合部２７と係合部７１ｃ、７２ｃとを係合させることを特徴とするものである。
【発明の効果】
【００１１】
本発明の請求項１記載の発明にあっては、回動側のダミー扉固定部材により扉を固定するため、使用しない宅配ボックスに電気錠を設けず、電気錠を設けるための既存の構成を利用して安価に使用しない宅配ボックスの扉を締め切ることが可能となる。
【００１２】
また、請求項２記載の発明にあっては、簡単な構成で回動側のダミー扉固定部材を固定することができる。
【００１３】
また、請求項３記載の発明にあっては、使用しない宅配ボックスに枢支部を設けずに済み、枢支部が無駄にならない。
【００１４】
また、請求項４記載の発明にあっては、簡単な構成で枢支側のダミー扉固定部材を固定することができる。
【発明を実施するための最良の形態】
【００１５】
以下、本発明を添付図面に示す実施形態に基いて説明する。
【００１６】
宅配ボックスＢは、図３〜図５に示すように、前面に開口する矩形箱状をしたボックス本体１と、ボックス本体１に設けた取出し用開口部１１に開閉自在に取付けた扉２と、ボックス本体１内に配達物を投入するための投入口１２とを備えることで構成してある。
【００１７】
本実施形態においては、図４、図５に示すように、ボックス本体１内を仕切り１３により上下に複数の分割空間に仕切って各分割空間をそれぞれポスト部Ｐとして、上下複数のポスト部Ｐの前面開口部がそれぞれ取出し用開口部１１となっている。このようにボックス本体１の前面側に上下方向に複数並んで開口した取出し用開口部１１にはそれぞれ扉２が開閉自在に取付けてある。これらを横に並設して図３に示すような配達物集合受け取り装置が構成される。ここで便宜上、取出し用開口部１１が開口する方向を前方、投入口１２が開口する方向を後方（背方）とする。
【００１８】
また、ボックス本体１の背面部にはボックス本体１内に上下に複数設けた各ポスト部Ｐに対応した部位にそれぞれ宅配物や新聞等の配達物を投入するための投入口１２が設けてある。
【００１９】
このように、本実施形態では、ボックス本体１の背面側に投入口１２を設け、ボックス本体１の前面側に取出し用開口部１１を設けると共に該取出し用開口部１１に開閉自在に扉２を取付け、配達物を背面から入れ、前面から取り出すタイプの宅配ボックスＢが示してある。
【００２０】
各扉２はそれぞれ一端部がボックス本体１の前面側に上下に複数設けた各取出し用開口部１１の一方の側端部に後述する枢支部３を設けて回動自在に連結してあり、この扉２の他方の側端部（枢支部３と反対側の端部）の裏面側には被係止部２０が設けてある。実施形態では扉２の裏面から突出する一対の突片２９の先端間に被係止棒２０ａを架設することで被係止部２０を構成してある。
【００２１】
ボックス本体１の側面部の前端部１４は、外板１５と内板１６と、外板１５と内板１６との前端に前板１７が架設される二重構造となっており、例えば平板をコ字状に折曲させて形成される。そして、前板１７の各ポスト部Ｐに対応する位置にそれぞれ、扉２の枢支部３を取付けるための枢支部用開口５と、後述する錠機構４を取付けるための錠用開口６とが形成される。左右両側の前板１７のうち、一方の前板１７（本実施形態では図６の右側の前板１７）に枢支部用開口５が形成され、他方の前板１７（本実施形態では図６の左側の前板１７）に錠用開口６が形成される。
【００２２】
枢支部用開口５は、上下に間隔をあけて穿設される二つの挿通口５０（上側の挿通口５０ａ、下側の挿通口５０ｂ）と、ねじからなる固着具５２が挿通される固着具挿通孔５１と、からなる。扉２を枢支する枢支部３は、上側の横片３１と縦片３２と下側の横片３３とからなる側面視略コ字状をしたもので、上側の横片３１に枢支孔３４が形成してあると共に、下側の横片３３の上面に枢支軸３５が突設してあり、縦片３２に固着孔３６が螺設してある。
【００２３】
この枢支部３は、前板１７の背面側から上側の横片３１と下側の横片３３とをそれぞれ上側の挿通口５０ａと下側の挿通口５０ｂとに挿通させて前方に突出させる。上側の挿通口５０ａと下側の挿通口５０ｂは、それぞれ上側の横片７１と下側の横片３３の断面形状と同じに形成してあり、特に下側の挿通口５０ｂは下側の横片３３の枢支軸３５を突設した部分の断面形状と同じにしてあり、枢支軸３５が挿通可能となっている。そして、縦片３２を前板１７の背面に当接させると、前板１７の固着具挿通孔５１と縦片３２の固着孔３６とが連通し、前方より固着具５２を固着具挿通孔５１に挿通して固着孔３６に螺着する。なお、前記固着孔３６をねじ孔とせず所謂ばか孔として、背方よりナットで固着具５２に締結しても勿論よい。
【００２４】
扉２は、略矩形板状をした前面部２１と、前面化粧部の各辺から背方に連設されるそれぞれ板状をした上面部２２、左右の側面部２３（回動側の側面部２３、枢支側の側面部２３）、下面部２４、とで構成される。扉２の下面部２４の枢支側の端部には、上記枢支部３の下側の横片３３の枢支軸３５が挿通される孔又は凹部からなる被枢支部２５が形成される。また扉２の上面部２２の枢支側の端部には、上記枢支部３の上側の横片３１の枢支孔３４に挿通される被枢支軸２６が下方に突出するように形成される。また扉２の枢支側の側面部２３の後端からは内側に向けて被係合部２７となるフランジ片が連設されている。
【００２５】
そして、扉２の下面部２４の被枢支部２５に枢支部３の下側の横片３３の枢支軸３５を挿通させると共に、扉２の上面部２２の被枢支軸２６を枢支部３の上側の横片３１の枢支孔３４に挿通させることで、扉２を回動自在に枢支部３に枢支させる。なお、本実施形態では、上側の枢支については扉２側を凸（被枢支軸２６）、枢支部３側を凹（枢支孔３４）とし、下側の枢支については扉２側を凹（被枢支部２５）、枢支部３側を凸（枢支軸３５）としたが、凹凸は逆でもよく任意に選択できる。
【００２６】
ボックス本体１に複数設けた各取出し用開口部１１の上記扉２を取付けている枢支部３と反対側の側面部２３の前端部１４内には錠機構４が収納される。
【００２７】
図７、図８に示すように、錠機構４は、基台４１に係止具４２、電気錠４０、解除操作部を取付けて構成してあり、基台４１をボックス本体１の一側壁の内面部に固定してある。
【００２８】
係止具４２は、一端部にＵ字状部からなる係止部４２ａが設けてあって該係止部４２ａが上記扉２の前面部２１の背面に設けた被係止部２０の被係止棒２０ａを嵌め込んで係止するためのもので、また、係止具４２の中央部を軸４３で基台４１に回動自在に軸支してあり、更に、係止具４２の他端部に凹状をした第２係止部４４が設けてある。
【００２９】
係止具４２の一端部の係止部４２ａは、Ｕ字状の対向する側片部４２ｂ、４２ｃのうち一方の側片部４２ｂの先端から導入・導出部４２ｄが突設してある。
【００３０】
係止具４２にはばね４５が取付けてあり、係止具４２の先端部をボックス本体１の取出し用開口部１１よりも外方に突出させるように回動するばね力を付与してある。錠機構４には回動防止部（図示せず）が設けてあり、ばね４５により係止具４２の先端部をボックス本体１の外に突出させると所定傾斜姿勢で係止具４２が回動防止部に当ってそれ以上回動することなく、所定傾斜姿勢を保つようになっている。この係止具４２の先端部がボックス本体１の外に突出して回動防止部に当っている所定傾斜姿勢において、上記側片部４２ｂの先端部の導入・導出部４２ｄがちょうど扉２に設けた被係止棒２０ａと同じ高さ位置となるように設定してあり、扉２を閉じると被係止棒２０ａが導入・導出部４２ｄの先端部に当たり、更に扉２を閉じる方向に回動することで、被係止棒２０ａが導入・導出部４２ｄを押すことで係止具４２を回動して起立すると共に、被係止棒２０ａが導入・導出部４２ｄにガイドされて係止部４２ａの開口から係止部４２ａの溝奥側に向けて被係止棒２０ａがはめ込まれ、図７のように係止される（つまり、被係止部２０である被係止棒２０ａが係止部である係止部４２ａに係止される）。
【００３１】
電気錠４０は電磁ソレノイドにより構成してあり、ボックス本体１の側面部２３の内面側に取り付けた基台４１に略水平に配置してあり、電気錠４０は前方に向けて可動部４６（つまり電磁ソレノイドのプランジャー）が突出しており、この可動部４６はボックス本体１の側縁部の内面に沿って前後方向に移動自在となっている。可動部４６には連結部４７が設けてある。更に、この可動部４６の先端部にはロック棒４８が設けてあり、ロック棒４８の先端（前端）に傾斜面が設けてある。可動部４６はばね（図示せず）により突出方向（前方）に向けて弾性付勢力が付与してあり、電磁ソレノイドに通電することで、可動部４６をばね力に抗して没入するようになっており、通電を停止すると、ばね力で再び可動部４６が突出するように構成してある。
【００３２】
そして、係止具４２がボックス本体１内に納まって起立姿勢になって被係止部２０が係止部に係止すると、ロック棒４８が先端の傾斜面にガイドされて第２係止部４４に係止して被係止部２０が係止部に係止された状態が維持され（図７の状態）、ボックス本体１の取出し用開口部１１を扉２で閉塞した状態で施錠されることになる。
【００３３】
一方、電気錠４０を開錠してロック棒４８が没入して第２係止部４４との係止が解除されると、ばね４５のばね力で係止具４２が回動して係止具４２の先端部がボックス本体１の取出し用開口部１１よりも外方に突出するようになっている。
【００３４】
このように、ばね４５により先端部がボックス本体１の取出し用開口部１１よりも外方に突出するように係止具４２が回動すると、図８のように、係止部４２ａが回動して係止部４２ａ内に嵌め込まれて係止されていた被係止棒２０ａが回動する側片部４２ｂにより外方向に押されながら係止部４２ａの開口側に向けて外方に向けて移動し、更に、該被係止棒２０ａが側片部４２ｂの先端部の導入・導出部４２ｄにより押されることで扉２が外方に押出され、扉２が開くようになっている。
【００３５】
この錠機構４は、基台４１を前板１７に取付けて固定される。上述した錠用開口６は、図６に示すように、扉２の被係止部２０が挿通される挿通口６０と、ねじからなる固着具が挿通される固着具挿通孔６１と、からなる。錠機構４の基台４１は、前端の上下端部にそれぞれ上側の縦片４１ａと下側の縦片４１ｂとを備えており、上側の縦片４１ａと下側の縦片４１ｂとの間に形成される隙間４１ｃを被係止部２０が挿通して前方に突出したり没入したりする。また、上側の縦片４１ａと下側の縦片４１ｂとには固着孔４１ｄが螺設してある。
【００３６】
錠機構４は、前板１７の背面側から基台４１の上側の縦片４１ａと下側の縦片４１ｂとを前板１７の背面に当接させると、前板１７の固着具挿通孔６１と上側の縦片４１ａ及び下側の縦片４１ｂの固着孔４１ｄとが連通し、前方より固着具を固着具挿通孔６１に挿通して固着孔４１ｄに螺着する。なお、前記固着孔４１ｄをねじ孔とせず所謂ばか孔として、背方よりナットで固着具に締結しても勿論よい。
【００３７】
そして本発明では、使用しないポスト部Ｐには電気錠４０を設けず、扉２を閉めた状態で固定して取付けて、使用しているポスト部Ｐと何ら変わりない外観を現出するもので、図１、図２に基づいて以下に説明する。
【００３８】
便宜上、使用するポスト部Ｐに設ける扉２を通常扉２とし、使用しないポスト部Ｐに取付ける扉２をダミー扉２ａとして区別する。通常扉２とダミー扉２ａとは、主体をなす前面部２１、上面部２２、側面部２３、下面部２４は略同じで、通常扉２では前面部２１の背面の回動側端部に設ける突片２９をダミー扉２ａでは設けず、また、ダミー扉２ａでは回動側の側面部２３に固定孔２８を形成する点で異なっている。
【００３９】
そして、枢支部用開口５と錠用開口６とに、ダミー扉固定部材７を取付けるものである。枢支部用開口５に取付けるものを枢支側のダミー扉固定部材７ａとし、錠用開口６に取付けるものを回動側のダミー扉固定部材７ｂとする。
【００４０】
枢支側のダミー扉固定部材７ａは、上側の横片７１ａと該上側の横片７１ａの後端より下側に連設される縦片７１ｂとからなる側面視略逆Ｌ字状をした上部材７１と、下側の横片７２ａと該下側の横片７２ａの後端より上側に連設される縦片７２ｂとからなる側面視略Ｌ字状をした下部材７２と、からなる。上側の横片７１ａと下側の横片７２ａとには、外側の端縁の前部より外方に突出する扉固定部としての係合部７１ｃ、７２ｃが形成してあり、両縦片７１ｂ、７２ｂには固着孔７１ｄ、７２ｄが螺設してある。
【００４１】
この枢支側のダミー扉固定部材７ａは、前板１７の背面側から上部材７１の上側の横片７１ａと下部材７２の下側の横片７２ａとをそれぞれ上側の挿通口５０ａと下側の挿通口５０ｂとに挿通させて前方に突出させる。上側の横片７１ａと下側の横片７２ａは、それぞれ上側の挿通口５０ａと下側の挿通口５０ｂの断面形状と略同じに形成するのであるが、下側の挿通口５０ｂの枢支軸３５が挿通される部分は無いものとしてよい。そして、両縦片７１ｂ、７２ｂを前板１７の背面に当接させると、前板１７の固着具挿通孔５１と縦片７１ｂ、７２ｂの固着孔７１ｄ、７２ｄとが連通し、前方より固着具５２を固着具挿通孔５１に挿通して固着孔７１ｄ、７２ｄに螺着する。なお、前記固着孔７１ｄ、７２ｄをねじ孔とせず所謂ばか孔として、背方よりナットで固着具５２に締結しても勿論よい。また、本実施形態では枢支側のダミー扉固定部材７ａを上部材７１と下部材７２の二部材で構成したが、上側の横片、縦片、下側の横片からなる側面視略コ字状をした一部材で構成してもよい。
【００４２】
回動側のダミー扉固定部材７ｂは、前板１７の幅より狭い幅の略矩形状をした縦片７３と、縦片７３から前方に突出する扉固定部としての突出片７４と、からなる。突出片７４には、扉２を固着するための固着孔７４ａが螺設してあり、縦片７３には該縦片７３を前板１７に固着するための固着孔７３ａが螺設してある。
【００４３】
この回動側のダミー扉固定部材７ｂは、前板１７の背面側から突出片７４を挿通口６０に挿通させて、縦片７３を前板１７の背面に当接させると、前板１７の固着具挿通孔６１と縦片７３の固着孔７３ａとが連通し、前方より固着具７５を固着具挿通孔６１に挿通して固着孔７３ａに螺着する。なお、前記固着孔７３ａをねじ孔とせず所謂ばか孔として、背方よりナットで固着具７５に締結しても勿論よい。
【００４４】
次に、ダミー扉２ａをダミー扉固定部材７に取付けるもので、ダミー扉２ａの枢支側の被係合部２７となるフランジ片と前面部２１との間に、枢支側のダミー扉固定部材７ａの係合部７１ｃ、７２ｃを挿入させて係合し、ダミー扉２ａの回動側の側面部２３の内側の面を、回動側のダミー扉固定部材７ｂの突出片７４の外側の面と当接（又は近接）させ、側面部２３に形成した固定孔２８と突出片７４に形成した固着孔７４ａとを連通させ、ねじからなる固着具７６を固定孔２８に挿通して固着孔７４ａに螺着する。
【００４５】
上記のように固定したダミー扉２ａは、通常扉２と殆ど同じ外観とすることができる。
【００４６】
以上のような本発明にあっては、回動側のダミー扉固定部材７ｂにより扉２を固定するため、使用しない宅配ボックスＢに電気錠４０を設けず、簡単な構成で安価に使用しない宅配ボックスＢの扉２を締め切ることが可能となる。また、枢支側のダミー扉固定部材７ａを設けることで、使用しない宅配ボックスＢに枢支部３を設けずに済み、枢支部３が無駄にならない。
【図面の簡単な説明】
【００４７】
【図１】本発明における宅配ボックスの要部の扉を外した状態の斜視図である。
【図２】同上の扉を取除いてダミー扉固定部材を外した状態の斜視図である。
【図３】宅配ボックスを複数備えた配達物集合受け取り装置であり、（ａ）は同上の正面図であり、（ｂ）は同上の背面図である。
【図４】同上の宅配ボックスの背面から見た一部破断斜視図である。
【図５】同上の宅配ボックスの正面から見た斜視図である。
【図６】同上の宅配ボックスの枢支部、電気錠を取り外した状態の斜視図である。
【図７】同上の宅配ボックスを内側から見た要部の斜視図である。
【図８】同上の宅配ボックスを外側から見た要部の一部透過斜視図である。
【符号の説明】
【００４８】
Ｂ    宅配ボックス
１    ボックス本体
１１  取出し用開口部
１２  投入口
１７  前板
２    扉
２０  被係止部
２８  固定孔
３    枢支部
４０  電気錠
４１  基台
６    錠用開口
４１  基台
４１ａ  上側の縦片
４１ｂ  下側の縦片
７ｂ  回動側のダミー扉固定部材
７３  縦片
７４  突出片
７４ａ  固着孔
【図１】
2010104730.tif 000003
【図２】
2010104730.tif 000004
【図３】
2010104730.tif 000005
【図４】
2010104730.tif 000006
【図５】
2010104730.tif 000007
【図６】
2010104730.tif 000008
【図７】
2010104730.tif 000009
【図８】
2010104730.tif 000010